(57)【要約】【課題】  動画の撮影及び記録中に静止画を記録するに当たり、静止画記録釦の押下認識音を発生させることができ、かつ、動画に対して自然な記録をすることができる画像撮影装置を提供する。【解決手段】  静止画を記録するための静止画記録釦のユーザの押下に応じて、その押下をユーザが認識することのできる音を発生する音発生手段（１１〜１４、３６、３７、３８）と、音発生手段の音をマイクロホン（２６）を通して取り込み、逆位相音データ生成手段（２９、４０）で生成された逆位相音データを記憶するか、又は、静止画記録釦を押下したことをユーザが認識することのできる音の逆位相音データをあらかじめ記憶しておく消音データメモリ（３０）と、音声付動画の撮影及び記録中に、静止画記録釦の押下が行われたとき、マイクロホンを通して取り込まれた音声データと消音データメモリに記憶された逆位相音データとを合成するキャンセル処理手段（２８）とを備える。【選択図】  図１
2006222578.tif 000002
【特許請求の範囲】
【請求項１】
音声付動画の撮影及び記録中に、静止画を記録することのできる画像撮影装置において、
静止画を記録するための静止画記録釦のユーザの押下に応じて、前記静止画記録釦を押下したことを前記ユーザが認識することのできる音を発生する音発生手段と、
前記音発生手段が発生する音をマイクロホンを通して取り込み、前記音の逆位相音データを生成する逆位相音データ生成手段で生成された逆位相音データを記憶するか、又は、前記静止画記録釦を押下したことを前記ユーザが認識することのできる音の逆位相音データをあらかじめ記憶しておく消音データメモリと、
音声付動画の撮影及び記録中に、前記静止画記録釦の押下が行われたとき、前記マイクロホンを通して取り込まれた音声データと前記消音データメモリに記憶された逆位相音データとを合成するキャンセル処理手段とを、
備えたことを特徴とする画像撮影装置。
【発明の詳細な説明】
【技術分野】
【０００１】
本発明は、音声付動画の撮影及び記録中に、静止画を記録することのできる画像撮影装置に関する。
【背景技術】
【０００２】
従来、デジタルビデオカメラと呼ばれる画像撮影装置は、音声付動画（以下、単に動画若しくは動画像とも称する）の撮影及び記録を行う装置として広く親しまれてきた。ところが、デジタルカメラの出現によって、デジタルビデオカメラにも静止画の撮影及び記録の機能を備えることを望む声が大きくなり、最近は静止画を記録する機能が付加されている。デジタルビデオカメラで静止画を記録する場合、機械音から電子音に変更された形であっても、静止画の撮影においてフィルムカメラで親しまれている撮影時のシャッター音を発生する機能が付加されている。
【０００３】
このように、デジタルビデオカメラとデジタルカメラの両方の機能を備えた画像撮影装置に対して、動画の撮影中に動画及び音の両方をテープメディアに記録し、静止画をメモリメディアに記録することの要望も多い。しかし、動画の撮影中に静止画を記録すると、そのときに発生したシャッター音を、動画用の音声を収集しているマイクロホンが拾うため、動画記録時の音声として記録されてしまうことになる。
【０００４】
このような事態を回避するために、動画の撮影及び記録と静止画の記録とを同時に行うことができないようにしたものや、静止画の記録時にシャッター音の発生、停止の切り替えを可能にしたものもある。また、動画の撮影及び記録と静止画の記録とを同時に実行する場合、静止画撮影のシャッター音の動画の記録への影響を低減するために、静止画記録釦の押下時にマイクロホンの入力ゲインを一時的に低下させる制御を行うことも提案されている（例えば、下記の特許文献１参照）。
【特許文献１】特許第３５５１４５４号公報
【発明の開示】
【発明が解決しようとする課題】
【０００５】
しかしながら、上述した従来の画像撮影装置のうち、動画の撮影及び記録と静止画の記録とを同時に実行できないようにしたものはユーザの要望を満たすことができず、シャッター音の発生、停止の切り替えを可能にしたものは撮影手順が増えて煩わしいという問題があった。また、静止画記録釦の押下時にマイクロホンの入力ゲインを一時的に低下させるものは、静止画を撮影する度にマイクロホンの入力ゲインが下げられてしまい、記録された動画の音声を聞くと、その音は実際の音に対して音声レベルが微妙に上下する不自然な音となり、良質な動画の記録ができないという問題があった。
【０００６】
一方、シャッター音などの静止画記録釦の押下認識音については、フィルムカメラにおいて誰もが小さい頃から慣れ親しんでおり、被写体側もシャッター音などにより静止画撮影の完了を暗黙のうちに判別しており、静止画の撮影時に静止画記録釦の押下認識音が無いことが不満であるというユーザも少なくなかった。
【０００７】
本発明は上記の事情を考慮してなされたもので、動画の撮影及び記録中に静止画を記録するに当たり、シャッター音などの静止画記録釦の押下認識音を発生させることができ、かつ、動画に対して自然な記録をすることができる画像撮影装置を提供することを目的とする。
【課題を解決するための手段】
【０００８】
上記の目的を達成するために、本発明に係る画像撮影装置は、音声付動画の撮影及び記録中に、静止画を記録することのできる画像撮影装置において、静止画を記録するための静止画記録釦のユーザの押下に応じて、静止画記録釦を押下したことをユーザが認識することのできる音を発生する音発生手段と、音発生手段が発生する音をマイクロホンを通して取り込み、この音の逆位相音データを生成する逆位相音データ生成手段で生成された逆位相音データを記憶するか、又は、静止画記録釦を押下したことをユーザが認識することのできる音の逆位相音データをあらかじめ記憶しておく消音データメモリと、音声付動画の撮影及び記録中に、静止画記録釦の押下が行われたとき、マイクロホンを通して取り込まれた音声データと消音データメモリに記憶された逆位相音データとを合成するキャンセル処理手段とを、備えたことを特徴とする。
【発明の効果】
【０００９】
本発明は、上記のように構成したことにより、動画の撮影及び記録中に静止画を記録するに当たり、シャッター音などの静止画記録釦の押下認識音を発生させることができ、かつ、動画に対して自然な記録をすることができる画像撮影装置が提供される。
【発明を実施するための最良の形態】
【００１０】
以下、本発明を図面に示す好適な実施の形態に基づいて詳細に説明する。
＜第１の実施の形態＞
図１は本発明に係る画像撮影装置の第１の実施の形態の構成を示すブロック図である。図１に示した画像撮影装置は、静止画の記録時に静止画記録釦の押下認識音を出力する静止画撮影音出力部１と、動画の撮影及び記録を行うカメラ部２と、ユーザによる動画の撮影及び記録や静止画記録釦の押下を検出し、動画撮影制御及び静止画記録制御を行う主制御部３とを備えている。
【００１１】
このうち、静止画撮影音出力部１は、デジタルデータ化された静止画記録釦の押下認識音データをアナログ信号に変換するＤ−Ａ変換器１１と、変換されたアナログ信号のうち音声周波数帯域の信号のみを通過させて他を遮断する低域フィルタ１２と、音声周波数帯域の信号の出力レベルを調整する増幅器１３と、出力レベルが調整された信号に対応する音を発生するスピーカ１４とを含んで構成されている。
【００１２】
また、カメラ部２は、画像を取り込むレンズ２１と、取り込まれた画像をデジタルデータに変換する電荷転送素子２２と、変換されたデジタルデータを一定周期で取り込み、画像データに変換するカメラ信号処理部２３と、変換された画像データにおける動画データを動画像記録フォーマットに圧縮変換する他、音声コーディックを含んで構成されるビデオ信号処理部２４と、圧縮変換された動画像を記録するとともに、音声信号を多重化して記録し、さらに、静止画をも記録する動画／静止画記録部２５と、外部音声を取り込んで電気的なアナログ信号に変換するマイクロホン２６と、音声に対応するアナログ信号をデジタルデータに変換するＡ−Ｄ変換器２７と、変換されたデジタルデータと後述する逆位相音データとを合成して得られた加工音データを動画／静止画記録部２５に加えるキャンセル処理部２８と、キャリブレーション処理時に、Ａ−Ｄ変換器２７によって変換された静止画記録釦の押下認識音をバッファメモリ４０に一定時間記憶させ、続いて、記憶データに基づいてその逆位相音データとしての位相情報、周波数情報、レベル情報を生成するキャリブレーション処理部２９と、生成された逆位相音データとしての位相情報、周波数情報、レベル情報を格納する消音データメモリ３０とを含んで構成されている。
【００１３】
また、主制御部３は、静止画記録釦の押下（図示せず）を検出する静止画釦処理部３１と、動画撮影釦（図示せず）の押下を検出し、動画撮影開始信号及び動画撮影停止信号を出力する動画撮影釦処理部３２と、カメラ信号処理部２３で変換された画像データを逐次取り込み、静止画記録要求がなされたときに新規の画像データの取り込みを停止し、そのときの画像データを保持する静止画用フレームメモリ３３と、静止画記録時の画像データを圧縮画像データに変換し、変換後に動画／静止画記録部２５に送る静止画生成部３４と、静止画記録釦及び動画撮影釦の現在の押下状態情報を保持する状態管理部３５と、静止画記録釦が押下されたことの認識音をデジタルデータで記録する、不揮発性メモリで構成される音データメモリ３６と、音データメモリ３６の音声データを一定の時間周期でＤ−Ａ変換器１１に加える音発生制御部３７と、静止画釦処理部３１、動画撮影釦処理部３２及び状態管理部３５の各出力信号に基づいて、カメラ信号処理部２３、ビデオ信号処理部２４、動画／静止画記録部２５及びキャンセル処理部２８の各制御、音発生制御部３７に対する処理開始要求、静止画記録時に静止画生成部３４に対する画像生成／記録の要求と、キャンセル処理部２８に対して静止画記録釦が押下されたことの認識音の消音開始要求を行う処理制御部３８とを含んで構成されている。
【００１４】
上記のように構成された第１の実施の形態の動作について、キャリブレーション処理として説明した合成音同定初期化処理と、動画撮影中に静止画を記録する処理とに分けて、以下に説明する。
【００１５】
＜合成音同定初期化処理＞
まず、処理制御部３８がキャリブレーション処理部２９に対して初期化制御要求を出力すると、キャリブレーション処理部２９は、マイクロホン２６から音声が取り込まれ、その出力信号がＡ−Ｄ変換器２７でデジタルデータに変換された音声データの、バッファメモリ４０への取り込みを開始する。
【００１６】
次に、処理制御部３８は、音発生制御部３７に対してシャッター音発生要求を出力する。音データメモリ３６には静止画記録釦が押下されたことの認識音がデジタルデータで記憶されている。そこで、音発生制御部３７はシャッター音発生要求を受け付けると、音データメモリ３６から静止画記録釦が押下されたことの認識音データを読み出してＤ−Ａ変換器１１へ送り込む。音発生制御部３７は音再生のためのクロック同期機能を有しており、認識音データを一定のタイミングで転送する。転送タイミング及び転送速度については、特に指定するものではない。
【００１７】
次に、Ｄ−Ａ変換器１１は認識音データをアナログ信号に変換し、低域フィルタ１２はアナログ信号のうち音声周波数帯域の成分のみを通過させてスピーカ１４に加える。スピーカ１４は自身に加えられる信号の音、すなわち、静止画記録釦が押下されたことの認識音を発生する。
【００１８】
このとき、キャリブレーション処理部２９は、既にマイクロホン２６及びＡ−Ｄ変換器２７を介して得られる音声データのバッファメモリ４０への取り込みを開始しており、スピーカ１４から発生された音に対応する音声データがバッファメモリ４０に格納される。
【００１９】
次に、音発生制御部３７は、音データメモリ３６のすべての認識音データを読み出し、転送を完了すると、終了応答を処理制御部３８に返す。そこで、処理制御部３８は、その終了応答を受け付けてキャリブレーション処理部２９に対して音声データのバッファメモリ４０への取り込み停止要求を出す。キャリブレーション処理部２９はこの取り込み停止要求に従って音声データの取り込みを停止する。
【００２０】
次に、キャリブレーション処理部２９は、バッファメモリ４０の記憶データに基づいて位相情報、周波数情報、レベル情報で構成される逆位相音データを生成し、消音データメモリ３０に格納する。
【００２１】
これらの処理により、シャッター音である静止画記録釦が押下されたことの認識音をキャンセルするためのデータ、すなわち、消音目的の逆位相音データが消音データメモリ３０に格納される。
【００２２】
＜動画撮影中に静止画を記録する処理＞
まず、動画撮影釦を押下すると、動画撮影釦処理部３２がこの押下を検出して処理制御部３８へ動画撮影の開始要求を送り込む。これによって、処理制御部３８は、カメラ信号処理部２３、ビデオ信号処理部２４及び動画／静止画記録部２５に対して、それぞれ動画撮影開始の制御を行わせる。これによって、レンズ２１から取り込まれた画像が電荷転送素子２２によってデジタルデータに変換され、さらに、カメラ信号処理部２３によって画像データに変換されてビデオ信号処理部２４及び静止画用フレームメモリ３３に送り込まれる。ビデオ信号処理部２４は変換された画像データにおける動画データを動画像記録フォーマットに圧縮変換して動画／静止画記録部２５に送る。静止画用フレームメモリ３３はビデオ信号処理部２４で変換された画像データを逐次取り込む。
【００２３】
次に、動画撮影中に静止画記録釦が押下されると、静止画釦処理部３１がこの押下を検出し、処理制御部３８は静止画用フレームメモリ３３に対して画像データの新規の取り込み停止の要求をするとともに、静止画生成部３４に対して静止画生成要求を与える。これによって、静止画用フレームメモリ３３は画像データの新規の取り込みを停止してそのときの画像データを保持し、静止画生成部３４は静止画用フレームメモリ３３で保持された画像データを圧縮画像データに変換して動画／静止画記録部２５に送る。これによって、動画／静止画記録部２５にはビデオ信号処理部２４で圧縮変換された動画データと、静止画生成部３４で圧縮された静止画データとの両方が記録される。
【００２４】
また、処理制御部３８に静止画記録の開始要求が送り込まれたとき、処理制御部３８は、キャンセル処理部２８に対して動作開始の要求を与える。キャンセル処理部２８はＡ−Ｄ変換器２７から音声データが出力されるごとに、消音データメモリ３０に格納された逆位相音データのうちの１データを読み出して、１データごとにそれぞれ加算処理を実行して、すなわち、合成して動画／静止画記録部２５に転送する。そして、消音データメモリ３０の逆位相音データの最後の１データを読み出すと、Ａ−Ｄ変換器２７から出力される音声データに対する逆位相音データの加算処理を行わずに、直接、動画／静止画記録部２５に転送する。
【００２５】
図２は静止画の撮影開始時にキャンセル処理部２８によって行われる静止画記録釦の押下認識音のキャンセル処理を説明するためのブロック図である。図２において、Ａ−Ｄ変換器２７から出力される音声データ（Ａ−Ｄ変換後のマイク入力）６１を一方入力、消音データメモリ３０に格納された逆位相音データ、すなわち消音データ６２を他方入力としてこれら２つのデータに対して加算処理６３を行って、加工音データ６４を出力する。このようにして、動画の記録に際して静止画の撮影が行われたとしても、動画記録の音声からシャッター音相当の音を抑えた音声データが多重化されて動画／静止画記録部２５に記録される。
【００２６】
図３は処理制御部３８を中心にして行われる処理手順を示すフローチャートである。ここでは、電源が投入された後の最初のステップｓ００１で逆位相音データを取得するキャリブレーション処理、すなわち、合成音同定初期化処理を行う。次に、ステップｓ００９の動画撮影停止処理を飛び越し、ステップｓ００２にて動画撮影釦が押下の状態に設定されたか否かを判定し、設定されていればステップｓ００５の処理を実行し、設定されていなければステップｓ００３の処理を実行する。ステップｓ００３においては静止画記録釦が押下され、静止画記録要求がなされたか否かを判定し、静止画記録要求がなされていなければステップｓ００２の処理に戻り、静止画記録要求がなされていればステップｓ００４で音発生制御部３７による静止画撮影認識音の発生制御と、静止画用フレームメモリ３３の画像データの更新停止制御と、静止画生成部３４による静止画記録制御を行った後、ステップｓ００２の処理に戻る。ステップｓ００５においては、動画撮影の開始要求から、カメラ信号処理部２３の起動制御、ビデオ信号処理部２４の起動制御、動画／静止画記録部２５による動画記録制御を実行する。続いて、ステップｓ００６にて動画撮影釦の状態が停止要求になっているか否かを判定し、停止要求になっていればステップｓ００９の処理を実行し、反対に、停止要求になっていなければステップｓ００７の処理を実行する。ステップｓ００９ではカメラ信号処理部２３の停止制御及びビデオ信号処理部２４の停止制御を実行する。ステップｓ００７では動画撮影中に静止画記録釦が押下され、静止画記録要求がなされたか否かを判定する。この判定により静止画記録要求がなされていればステップｓ００８にて音発生制御部３７を介して行われる静止画撮影認識音の発生制御と、静止画用フレームメモリ３３による画像データの更新停止制御、静止画生成部３４による静止画圧縮制御及び動画／静止画記録部２５における静止画記録制御をそれぞれ実行してステップｓ００７の処理に戻り、反対に、静止画記録要求がなされていなければステップｓ００６の処理に戻る。これらの処理手順により、合成音同定初期化処理の後、動画撮影制御が行われ、動画撮影制御中に静止画の撮影制御が行われたとしても動画記録の音声にシャッター音が記録されることを抑制することができる。
【００２７】
図４は静止画記録要求時における処理制御部３８の具体的な処理手順を示すフローチャートである。ここでは、ステップｓ０１０にて動画撮影中か否かを判定し、動画撮影中であればステップｓ０１１でキャンセル処理部２８を起動してそのキャンセル制御を行わせる。続いて、ステップｓ０１２にて音発生制御部３７を起動して静止画記録釦の認識音の発生制御を行わせる。これによって、静止画記録要求時にスピーカ１４から静止画撮影釦認識音が発生される。
【００２８】
図５は図３に示した処理手順のうち、ステップｓ００１の詳細な処理手順を示すフローチャートである。ここでは、ステップｓ０２０でマイクロホン２６への音声入力からバッファメモリ４０への音声データの取り込みを開始する。ステップｓ０２１にて音発生制御部３７による静止画記録釦の押下認識音の発生を行わせる。続いて、ステップｓ０２２にて音発生制御部３７の制御動作が完了してから、キャリブレーション処理部２９に要求して、バッファメモリ４０への音声データの取り込みを停止させる。そして、ステップｓ０２３ではバッファメモリ４０の音声データから入力音データの逆位相音データを生成する。当該データは、位相情報、周波数情報及びレベル情報を含み、量子化された入力音データへの加算が容易なフォーマットとなっている。最後に、ステップｓ０２４にて逆位相音データを、消音データメモリ３０に格納する。これによって、合成音同定初期化処理が行われる。
【００２９】
図６はキャンセル処理部２８の具体的な処理手順を示すフローチャートである。ここでは、ステップｓ０３１にてＡＤ変換された入力音データを１サンプリングデータ分取り込む。次のステップｓ０３２において消音データメモリ３０の逆位相音データを１サンプリングデータ分取り出す。さらに、ステップｓ０３３では、ステップｓ０３１で取り込んだデータとステップｓ０３２で取り出したデータを加算（合成）し、加算データを生成する。そして、ステップｓ０３４にて加算データを動画／静止画記録部２５へ送る。これらの処理を繰り返すことによって、動画記録の音声からシャッター音相当の音を抑えた音声データが動画／静止画記録部２５に記録される。
【００３０】
このように、上述した第１の実施の形態によれば、動画撮影中に静止画の記録をすることのできる画像撮影装置において、動画撮影中の静止画記録時に通常のカメラ撮影と同様にシャッター音相当音を発音しても、動画記録の音声から該シャッター音相当音を抑えるこができ、かつ、デジタルカメラ装置の動画／静止モード切替機能を搭載する必要がなくなり、製品コストを低減することができる。また、機能として、動画はストリーム用の媒体へ、静止画はメモリ媒体へそれぞれ別々に記録することで、１台の画像撮影装置で、ビデオカメラとスチルカメラの両方の機能を持たせることができる。
【００３１】
＜第２の実施の形態＞
上述した第１の実施の形態では、逆位相音データを取得するキャリブレーション処理時、すなわち、合成音同定初期化処理時に、音発生制御部３７が静止画撮影音出力部１を介して静止画記録釦の押下認識音を発生させ、静止画記録釦の押下認識音をマイクロホン２６を通して取り込み、キャリブレーション処理部２９がその音声データをバッファメモリ４０に記憶させ、続いて、キャリブレーション処理部２９がその音の逆位相音データを生成して消音データメモリ３０に記録させたが、この代わりに、逆位相音データをあらかじめ記憶させてある消音データメモリ３０を製造工程で組み込むか、あるいは、出荷段階で逆位相音データを消音データメモリ３０に記憶させるようにしてもよい。すなわち、キャリブレーション処理時に静止画撮影音出力部１から発生される音は、音データメモリ３６に記憶された音声データに対応しており、この音をマイクロホン２６で拾った音声データが動画／静止画記録部２５に送り込まれないようにするには、この音声データに対応する逆位相音データを消音データメモリ３０に記憶させておけば、上述したと略同様な処理を行うことができる。
【００３２】
このように、第２の実施の形態においても、動画撮影中に静止画の記録をすることのできる画像撮影装置において、動画撮影中の静止画記録時に通常のカメラ撮影と同様にシャッター音相当音を発音しても、動画記録の音声から該シャッター音相当音を抑えるこができ、かつ、デジタルカメラ装置の動画／静止モード切替機能を搭載する必要がなくなり、製品コストを低減することができる。
【図面の簡単な説明】
【００３３】
【図１】本発明に係る画像撮影装置の第１の実施の形態の構成を示すブロック図である。
【図２】本発明の第１の実施の形態を構成するキャンセル処理部によって行われる静止画記録釦の押下認識音のキャンセル処理を説明するためのブロック図である。
【図３】本発明の第１の実施の形態を構成する処理制御部を中心にして行われる処理手順を示すフローチャートである。
【図４】本発明の第１の実施の形態を構成する処理制御部の具体的な処理手順を示すフローチャートである。
【図５】図３に示した処理手順のうち、１つのステップの詳細な処理手順を示すフローチャートである。
【図６】本発明の第１の実施の形態を構成するキャンセル処理部の具体的な処理手順を示すフローチャートである。
【符号の説明】
【００３４】
１  静止画撮影音出力部
２  カメラ部
３  主制御部
１１  Ｄ−Ａ変換器
１２  低域フィルタ
１３  増幅器
１４  スピーカ
２１  レンズ
２２  電荷転送素子
２３  カメラ信号処理部
２４  ビデオ信号処理部
２５  動画／静止画記録部
２６  マイクロホン
２７  Ａ−Ｄ変換器
２８  キャンセル処理部
２９  キャリブレーション処理部
３０  消音データメモリ
３１  静止画釦処理部
３２  動画撮影釦処理部
３３  静止画用フレームメモリ
３４  静止画生成部
３５  状態管理部
３６  音データメモリ
３７  音発生制御部
３８  処理制御部
４０  バッファメモリ
【図１】
2006222578.tif 000003
【図２】
2006222578.tif 000004
【図３】
2006222578.tif 000005
【図４】
2006222578.tif 000006
【図５】
2006222578.tif 000007
【図６】
2006222578.tif 000008